【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
除雪機（１００）を調節する方法であって、
（ａ）除雪機アセンブリ（５０）を提供するステップを含んでおり、前記除雪機アセンブリ（５０）が、１）前記除雪機アセンブリ（５０）を関連車両（１０）に連結する際に使用するための支持フレーム（５２）と、２）前記支持フレーム（５２）に動作可能に連結された、最上部分（５８）と最下部分（６０）とを有する少なくとも１つのリフト・フレーム部材（５６）と、３）前記リフト・フレーム部材（５６）に係合する少なくとも１つの除雪機フレーム部材（８０）と、４）前記除雪機フレーム部材（８０）に動作可能に連結された、除雪機動作軸（ＯＡ）を有する除雪機（１００）と、５）前記リフト・フレーム部材（５６）上の前記除雪機フレーム部材（８０）の位置を調節する際に使用するための調節機構（９０）とを含んでおり、前記方法がさらに、
（ｂ）前記除雪機（１００）が関連車両（１０）のほぼ正面に位置決めされるように前記除雪機アセンブリ（５０）に連結するステップと、
（ｃ）前記除雪機フレーム部材（８０）を前記リフト・フレーム部材（５６）の前記最下部分（６０）へと引き下げることにより、前記除雪機（１００）が前記関連車両（１０）の正面に直接位置する雪を取り除くように位置決めされ、かつ前記除雪機動作軸（ＯＡ）が地面（１６）にほぼ平行となるステップと、
（ｄ）前記除雪機フレーム部材（８０）を前記リフト・フレーム部材（５６）の前記最上部分（５８）へと引き上げるステップとを含んでおり、
そこでステップ（ｄ）が
（ｅ）前記除雪機フレーム部材（８０）を前記リフト・フレーム部材（５６）の前記最上部分（５８）上で枢動させることにより、前記除雪機動作軸（ＯＡ）が前記地面（１６）に対して１０°〜９０°の間の角度（Ａ１）のところにくるステップとを含む
ことを特徴とする方法。
【請求項２】
ステップ（ａ）（２）が、前記リフト・フレーム部材（５６）に少なくとも第１のトラック（６２）を提供する段階を含んでおり、
ステップ（ａ）３）が、前記除雪機フレーム部材（８０）に、前記第１のトラック（６２）に係合する少なくとも第１のトラック係合表面（２００）を提供する段階を含んでおり、
ステップ（ｅ）が、前記除雪機フレーム部材（８０）を前記第１のトラック係合表面（２００）の周りで枢動させる段階を含む、請求項１に記載の方法。
【請求項３】
ステップ（ａ）（２）が、前記リフト・フレーム部材（５６）に、それぞれが停止位置（７０）を有する第１および第２のトラック（６２）を提供する段階を含んでおり、
ステップ（ａ）（３）が、前記除雪機フレーム部材（８０）に、前記第１および第２のトラック（６２）にそれぞれ係合する第１および第２のトラック係合表面（２００）を提供する段階を含んでおり、
ステップ（ｅ）が、
１）前記第１のトラック係合表面（２００）を前記第１のトラック（６２）上の前記停止位置（７０）に係合させる段階と、
２）前記第２のトラック係合表面（２００）を前記第２のトラック（６２）に沿って移動させる段階と、
３）前記第２のトラック係合表面を（２００）前記第２のトラック（６２）上の前記停止位置（７０）に係合させる段階との順次段階を含む、請求項１に記載の方法。
【請求項４】
ステップ（ｅ）の後に、
前記除雪機フレーム部材（８０）を前記リフト・フレーム部材（５６）の前記最上部分（５８）上でステップ（ｄ）とは反対の方向に枢動させるステップと、
前記除雪機フレーム部材（８０）を前記リフト・フレーム部材（５６）の前記最下部分（６０）へと引き下げるステップとを含む、請求項１に記載の方法。
【請求項５】
ステップ（ａ）（２）が、前記リフト・フレーム部材（５６）に接触表面（７６）を提供する段階を含んでおり、
ステップ（ａ）（３）が、前記除雪機フレーム部材（８０）に接触表面（８１）を提供する段階を含んでおり、
前記除雪機フレーム部材（８０）を前記リフト・フレーム部材（５６）の前記最上部分（５８）上でステップ（ｄ）とは反対の方向に枢動させる前記ステップが、前記除雪機フレーム部材（８０）の前記接触表面（８１）と前記リフト・フレーム部材（５６）の前記接触表面（７６）とを接触させる段階を含む、請求項４に記載の方法。
【請求項６】
前記関連車両（１０）は第１のヘッドライト・ビーム（１４）を提供する第１のヘッドライト（１２）を備えており、
前記除雪機（１００）が前記第１のヘッドライト・ビーム（１４）を実質的に妨害する第２の位置へ前記除雪機フレーム部材（８０）を引き上げるステップと、さらに除雪機フレーム部材（８０）を前記第１のヘッドライト・ビーム（１４）を実質的に妨害しない少なくとも第３の位置へ引き上げるステップから成るステップ（ｄ）を含む、請求項１に記載の方法。
【請求項７】
除雪機アセンブリ（５０）を関連車両（１０）に連結する際に使用するための支持フレーム（５２）を有する当該除雪機アセンブリ（５０）と、前記支持フレーム（５２）に動作可能に連結された、最上部分（５８）と最下部分（６０）とを有する第１のリフト・フレーム部材（８０）と、前記第１のリフト・フレーム部材（５６）に係合する第１の除雪機フレーム部材（８０）と、除雪機（１００）が関連車両（１０）の前に位置決め可能となるように前記第１の除雪機フレーム部材（８０）に動作可能に連結され、かつ除雪機動作軸（ＯＡ）を有する当該除雪機（１００）と、
前記第１の除雪機フレーム部材（８０）が前記第１のリフト・フレーム部材（５６）の前記最下部分（６０）上にあり、前記除雪機（１００）が前記関連車両（１０）の前に直接位置する雪を取り除くように位置決めされ、かつ前記除雪機動作軸（ＯＡ）が地面（１６）にほぼ平行となる第１の位置と除雪機（１００）が前記地面（１６）の上方に引き上げられた第２の位置との間に前記除雪機（１００）を移動させるのに用いる調整機構（９０）とを有し、
前記第１のリフト・フレーム部材（５６）上の前記第１の除雪機フレーム部材（８０）の位置は、前記第１の除雪機フレーム部材（８０）が前記第１のリフト・フレーム部材（５６）の前記最上部分（５８）上にある第２の位置へ調整され、前記除雪機（１００）は上げられ、かつ前記除雪機動作軸（ＯＡ）が前記地面（１６）に対して１０°〜９０°の間の角度（Ａ１）のところにくる第２の位置へと調節する際に使用するための前記調整機構（９０）とを含む、除雪機アセンブリ。
【請求項８】
前記第１のリフト・フレーム部材（５６）が第１および第２のトラック（６２）を含んでおり、
前記第１の除雪機フレーム部材（８０）が、前記第１および第２のトラック（６２）にそれぞれ係合する第１および第２のトラック係合表面（２００）を含む、請求項７に記載の除雪機アセンブリ（５０）。
【請求項９】
前記第１および第２のトラック（６２）がそれぞれ停止位置（７０）を含んでおり、
前記第１の除雪機フレーム部材（８０）が前記第２の位置にあるときに、前記第１のトラック係合表面（２００）が、前記第１のトラック（６２）上の前記停止位置（７０）のところで係合され、前記第２のトラック係合表面（２００）が、前記第２のトラック（６２）上の前記停止位置（７０）のところで係合される、請求項８に記載の除雪機アセンブリ。
【請求項１０】
前記停止位置（７０）がそれぞれ曲面を含む、請求項９に記載の除雪機アセンブリ（５０）。
【請求項１１】
前記支持フレーム（５２）に動作可能に連結された、最上部分（５８）と最下部分（６０）とを有する第２のリフト・フレーム部材（５６）と、
前記第２のリフト・フレーム部材（５６）に係合する第２の除雪機フレーム部材（８０）とをさらに含んでおり、
前記除雪機（１００）が前記第２の除雪機フレーム部材（８０）に動作可能に連結されており、
前記調節機構（９０）が、前記第２のリフト・フレーム部材（５６）上の前記第２の除雪機フレーム部材（８０）の位置を少なくとも２つの位置、すなわち、
１）前記第２の除雪機フレーム部材（８０）が前記第２のリフト・フレーム部材（５６）の前記最下部分（６０）上にあり、前記除雪機（１００）が前記関連車両（１０）のほぼ正面に直接位置する雪を取り除くように位置決めされ、かつ前記除雪機動作軸（ＯＡ）が前記地面（１６）にほぼ平行となる第１の位置、ならびに、
２）前記第２の除雪機フレーム部材（８０）が前記第２のリフト・フレーム部材（５６）の前記最上部分（５８）上にあり、かつ前記除雪機動作軸（ＯＡ）が前記地面（１６）に対して１０°〜９０°の間の前記角度（Ａ１）のところにくる第２の位置へと調節する際に使用するためのものである、請求項７に記載の除雪機アセンブリ。
【請求項１２】
前記第１の除雪機フレーム部材（８０）に取り付けられた第１の端部と、前記第２の除雪機フレーム部材（８０）に取り付けられた第２の端部とを有する支持部材（８３）をさらに含んでおり、前記支持部材（８３）が、また、前記第１のリフト・フレーム部材（５６）上に形成された第１の接触表面に接触するように適合された第１の接触表面と、前記第２のリフト・フレーム部材（５６）上に形成された第２の接触表面に接触するように適合された第２の接触表面とを有する、請求項１１に記載の除雪機アセンブリ（５０）。
【請求項１３】
前記第１の除雪機フレーム部材（８０）が前記第２の位置にあるときに、前記除雪機動作軸（ＯＡ）が前記地面（１６）に対して３０°〜５０°の間の角度（Ａ１）のところにある、請求項７に記載の除雪機アセンブリ（５０）。
【請求項１４】
前記関連車両（１０）が、第１のヘッドライト・ビーム（１４）を提供する第１のヘッドライト（１２）を有しており、第２の位置が前記第１のヘッドライト・ビーム（１４）を実質的に妨害し、前記調節機構（９０）は液圧式調節機構（９０）であり、
前記液圧式調節機構（９０）は前記第１の除雪機フレーム部材（８０）が前記第１のリフト・フレーム部材（５６）の前記最上部分（５８）上にあり、かつ前記除雪機（１００）が前記第１のヘッドライト・ビーム（１４）を実質的に妨害しない第３の位置へと調節でき、
前記液圧式調節機構（９０）は支持フレーム（５２）および除雪機フレーム部材（８０）との間に付けられた液圧式リフト・シリンダー（９２）を含む、請求項７に記載の除雪機アセンブリ。